(57)【特許請求の範囲】
【請求項１】
放射線を検出する放射線検出手段と、
前記放射線検出手段による放射線の検出信号と閾値との比較結果に基づいてパルス信号を出力する比較手段と、
前記パルス信号のカウント結果に基づいて被ばく放射線量を算出する演算処理部と、
前記演算処理部から出力されるデジタル値をアナログ値に変換することにより、前記比較手段に入力される閾値を生成するＤＡコンバータと、
前記演算処理部にて算出されたパルス信号のカウント結果と、前記パルス信号の生成時に前記ＤＡコンバータに入力されたデジタル値を送信する送信手段と、
前記送信手段から送信されたデジタル値およびパルス信号のカウント結果に基づいて調整されたデジタル値を前記演算処理部に入力する入力手段とを備えることを特徴とする放射線検出器。
【請求項２】
放射線を検出する放射線検出手段と、
前記放射線検出手段による放射線の検出信号と閾値との比較結果に基づいてパルス信号を出力する複数の比較手段と、
前記パルス信号のカウント結果に基づいて被ばく放射線量を算出する演算処理部と、
前記演算処理部から出力されるデジタル値をアナログ値に変換するＤＡコンバータと、
前記ＤＡコンバータから出力されたアナログ値を分圧することにより、前記比較手段にそれぞれ入力される複数の閾値を生成する分圧抵抗と、
前記演算処理部にて算出されたパルス信号のカウント結果と、前記パルス信号の生成時に前記ＤＡコンバータに入力されたデジタル値を送信する送信手段と、
前記送信手段から送信されたデジタル値およびパルス信号のカウント結果に基づいて調整されたデジタル値を前記演算処理部に入力する入力手段とを備えることを特徴とする放射線検出器。
【請求項３】
放射線を検出する放射線検出手段と、
前記放射線検出手段による放射線の検出信号と閾値との比較結果に基づいてパルス信号を出力する複数の比較手段と、
前記パルス信号のカウント結果に基づいて被ばく放射線量を算出する演算処理部と、
前記演算処理部から出力されるデジタル値をアナログ値に変換する第１および第２のＤＡコンバータと、
前記第１のＤＡコンバータに一端が接続されるとともに、前記第２のＤＡコンバータに他端が接続され、前記第１および第２のＤＡコンバータから出力されたアナログ値を分圧することにより、前記比較手段にそれぞれ入力される複数の閾値を生成する分圧抵抗と、
前記演算処理部にて算出されたパルス信号のカウント結果と、前記パルス信号の生成時に前記ＤＡコンバータに入力されたデジタル値を送信する送信手段と、
前記送信手段から送信されたデジタル値およびパルス信号のカウント結果に基づいて調整されたデジタル値を前記演算処理部に入力する入力手段とを備えることを特徴とする放射線検出器。
【請求項４】
前記ＤＡコンバータに代えてデジタルポテンシャルを用いることを特徴とする請求項１から３のいずれか１項記載の放射線検出器。
【発明の詳細な説明】
【技術分野】
【０００１】
本発明は放射線検出器に関し、特に、放射線の検出に用いられる閾値の設定方法に適用して好適なものである。
【背景技術】
【０００２】
原子力発電所、加速器施設および放射線利用施設などにおいて、放射線業務従事者が被ばくした放射線の線量を検出したり管理したりするために、放射線業務従事者のポケットに収まる携帯用の放射線検出器が用いられている。
図５は放射線検出器の実装状態を示す図、図６は従来の放射線検出器の外観構成を示す斜視図である。
【０００３】
図５および図６において、放射線検出器１００は、放射線業務従事者の作業服の胸に収まるような大きさに設定され、概ね１００×５０×１０ｍｍの寸法を有している。この放射線検出器１００には、信号処理回路が搭載されたプリント基板１１５、プリント基板１１５を収納する筐体１０１、データ表示を行う液晶ディスプレイ１１３および放射線業務従事者に警報を行う警報部１１４が設けられている。ここで、放射線の検出方式としては、入射した放射線による電離作用を利用した半導体式が主流となっている。
【０００４】
図７は、従来の放射線検出器の概略構成を示すブロック図である。
図７において、プリント基板１１５には、放射線を検出する半導体検出部７２、半導体検出部７２に逆バイアスを印加する逆バイアス印加手段７１、半導体検出部７２にて検出された信号を増幅するアンプ回路７３、アンプ回路７３から出力された信号を閾値電圧７８と比較する比較器回路７４、比較器回路７４からの比較結果に基づいて被ばく放射線量を算出するＣＰＵ７５およびＣＰＵ７５にて算出された放射線量を被ばく量集中管理システムに送信する通信手段７６が実装されている。
【０００５】
そして、放射線業務従事者が被ばくした放射線は筐体１０１を介して半導体検出部７２に入射され、半導体検出部７２にて放射線が検出される。そして、半導体検出部７２にて検出された信号はアンプ回路７３にて増幅された後、比較器回路７４にて閾値電圧７８と比較され、閾値電圧７８以上のレベルの信号がパルス信号としてＣＰＵ７５に入力される。そして、ＣＰＵ７５は、比較器回路７４からのパルス信号をカウントすることにより、放射線業務従事者の被ばく放射線量を算出することができる。
【０００６】
そして、ＣＰＵ７５は、被ばく放射線量を算出すると、放射線業務従事者の現在の被ばく放射線量を液晶ディスプレイ１１３に表示する。また、ＣＰＵ７５は、放射線業務従事者の現在の被ばく放射線量が規定値を超えた場合、そのことを警報部１１４に通知する。そして、警報部１１４は、放射線業務従事者の現在の被ばく放射線量が規定値を超えたという通知をＣＰＵ７５から受けると、ブザーを鳴らすことにより、その作業空間からの離脱を放射線業務従事者に促すことができる。
【０００７】
図８は、従来の閾値電圧７８を発生させる閾値電圧回路の概略構成を示すブロック図である。
図８において、閾値電圧回路には、抵抗Ｒ１１、Ｒ１２、可変抵抗ＶＲおよびオペアンプＯＰが設けられている。そして、抵抗Ｒ１１、可変抵抗ＶＲおよび抵抗Ｒ１２は直列に接続され、オペアンプＯＰの入力の一端にはオペアンプＯＰの出力が帰還されるとともに、オペアンプＯＰの入力の他端は、可変抵抗ＶＲと抵抗Ｒ１２との接続点に接続されている。そして、可変抵抗ＶＲの値を調整することにより、閾値電圧７８を変化させることができる。
【０００８】
また、例えば、特許文献１には、放射線計測装置のディスクリ電圧の設定やポールゼロ調整を自動的に行うことで、パラメータの調整作業にかかる時間と労力を軽減でき、専門知識や経験を必要としない調整精度の均質化を図る方法が開示されている。
【特許文献１】特開平１０−１９７６４３号公報
【発明の開示】
【発明が解決しようとする課題】
【０００９】
しかしながら、可変抵抗ＶＲを調整しながら閾値電圧７８を最適化する方法では、半導体検出部７２、アンプ回路７３および比較器回路７４などの特性のバラツキを考慮する必要があり、可変抵抗ＶＲの調整に労力を要するという問題があった。
また、高機能線量計では、高いエネルギレベルから低いエネルギレベルまでの広い領域に渡って複数のエネルギ特性を得るために、多数のボリューム抵抗にて閾値電圧を調整する必要があることから、調整コストが増大を招くという問題があった。さらに、高精度なエネルギ特性を得るためには、閾値電圧を高精度に設定する必要があり、ボリューム抵抗の調整が非常に困難になるという問題があった。
【００１０】
また、特許文献１に開示された方法では、検出器信号のノイズ分布の予測結果に基づいてディスクリ電圧の最適化処理が行われるため、放射線計測装置内に設けられたＣＰＵの負荷が大きくなり、コストアップを招くという問題があった。
そこで、本発明の目的は、コストアップを抑制しつつ、閾値電圧の調整にかかる労力を軽減することが可能な放射線検出器を提供することである。
【課題を解決するための手段】
【００１３】
上述した課題を解決するために、請求項１記載の放射線検出器によれば、放射線を検出する放射線検出手段と、前記放射線検出手段による放射線の検出信号と閾値との比較結果に基づいてパルス信号を出力する比較手段と、前記パルス信号のカウント結果に基づいて被ばく放射線量を算出する演算処理部と、前記演算処理部から出力されるデジタル値をアナログ値に変換することにより、前記比較手段に入力される閾値を生成するＤＡコンバータと、前記演算処理部にて算出されたパルス信号のカウント結果と、前記パルス信号の生成時に前記ＤＡコンバータに入力されたデジタル値を送信する送信手段と、前記送信手段から送信されたデジタル値およびパルス信号のカウント結果に基づいて調整されたデジタル値を前記演算処理部に入力する入力手段とを備えることを特徴とする。
【００１４】
これにより、比較手段に入力される閾値を設定するためのデジタル値の最適化処理を外部計算機にて行わせることができる。このため、比較手段に入力される閾値を設定するためのデジタル値の最適化処理を放射線検出器内部で行う必要がなくなるともに、閾値電圧を最適化するために、放射線検出手段などの特性のバラツキを考慮しながら可変抵抗を調整する必要がなくなる。この結果、演算処理部の負荷を低減することが可能となり、コストアップを抑制することが可能となるとともに、閾値電圧の最適化にかかる労力を軽減することが可能となる。
【００１５】
また、請求項２記載の放射線検出器によれば、放射線を検出する放射線検出手段と、前記放射線検出手段による放射線の検出信号と閾値との比較結果に基づいてパルス信号を出力する複数の比較手段と、前記パルス信号のカウント結果に基づいて被ばく放射線量を算出する演算処理部と、前記演算処理部から出力されるデジタル値をアナログ値に変換するＤＡコンバータと、前記ＤＡコンバータから出力されたアナログ値を分圧することにより、前記比較手段にそれぞれ入力される複数の閾値を生成する分圧抵抗と、前記演算処理部にて算出されたパルス信号のカウント結果と、前記パルス信号の生成時に前記ＤＡコンバータに入力されたデジタル値を送信する送信手段と、前記送信手段から送信されたデジタ
ル値およびパルス信号のカウント結果に基づいて調整されたデジタル値を前記演算処理部に入力する入力手段とを備えることを特徴とする。
【００１６】
これにより、ＤＡコンバータを１個だけ設けることで、比較手段に入力される閾値を設定するためのデジタル値の最適化処理を外部計算機にて行わせることを可能としつつ、複数の閾値を生成することができる。このため、比較手段に入力される複数の閾値を設定するための最適化処理を放射線検出器内部で行う必要がなくなるともに、複数の閾値電圧を最適化するために、放射線検出手段などの特性のバラツキを考慮しながら複数の可変抵抗を調整する必要がなくなる。この結果、演算処理部の負荷を低減することが可能となり、コストアップを抑制することが可能となるとともに、閾値電圧の最適化にかかる労力を軽減しつつ、高いエネルギレベルから低いエネルギレベルまでの広い領域で複数のエネルギ特性を得ることが可能となる。
【００１７】
また、請求項３記載の放射線検出器によれば、放射線を検出する放射線検出手段と、前記放射線検出手段による放射線の検出信号と閾値との比較結果に基づいてパルス信号を出力する複数の比較手段と、前記パルス信号のカウント結果に基づいて被ばく放射線量を算出する演算処理部と、前記演算処理部から出力されるデジタル値をアナログ値に変換する第１および第２のＤＡコンバータと、前記第１のＤＡコンバータに一端が接続されるとともに、前記第２のＤＡコンバータに他端が接続され、前記第１および第２のＤＡコンバータから出力されたアナログ値を分圧することにより、前記比較手段にそれぞれ入力される複数の閾値を生成する分圧抵抗と、前記演算処理部にて算出されたパルス信号のカウント結果と、前記パルス信号の生成時に前記ＤＡコンバータに入力されたデジタル値を送信する送信手段と、前記送信手段から送信されたデジタル値およびパルス信号のカウント結果に基づいて調整されたデジタル値を前記演算処理部に入力する入力手段とを備えることを特徴とする。
【００１８】
これにより、ＤＡコンバータを２個だけ設けることで、比較手段に入力される閾値を設定するためのデジタル値の最適化処理を外部計算機にて行わせることを可能としつつ、複数の閾値を生成することが可能となるとともに、エネルギレベルの分解能を２倍に向上させることができる。このため、演算処理部の負荷を低減することが可能となり、コストアップを抑制することが可能となるとともに、閾値電圧の最適化にかかる労力を軽減しつつ、高いエネルギレベルから低いエネルギレベルまでの広い領域で複数のエネルギ特性の精度を向上させることができる。
【００１９】
また、請求項４記載の放射線検出器によれば、前記ＤＡコンバータに代えてデジタルポテンシャルを用いることを特徴とする。
これにより、デジタルポテンシャルを用いることで、ＤＡコンバータを用いた場合に比べて、ノイズ成分を低減することができる。このため、比較手段に入力される閾値を安定させることができ、エネルギ特性の精度を向上させることができる。
【発明の効果】
【００２０】
以上説明したように、本発明によれば、比較手段に入力される閾値を設定するためのデジタル値の最適化処理を外部計算機にて行わせることができ、演算処理部の負荷を低減することが可能となることから、コストアップを抑制することが可能となるとともに、閾値電圧の最適化にかかる労力を軽減することが可能となる。
【発明を実施するための最良の形態】
【００２１】
以下、本発明の実施形態に係る放射線検出器について図面を参照しながら説明する。
図１は、本発明の第１実施形態に係る放射線検出器の概略構成を示すブロック図である。
図１において、放射線検出器には、放射線を検出する半導体検出部２、半導体検出部２に逆バイアスを印加する逆バイアス印加手段１、半導体検出部２にて検出された信号を増幅するアンプ回路３、アンプ回路３から出力された信号をＤＡコンバータ９から出力された閾値電圧と比較する比較器回路４、比較器回路４からの比較結果に基づいて被ばく放射線量を算出するＣＰＵ５、データ表示を行う液晶ディスプレイ６、放射線業務従事者に警報を行うブザー７、ＣＰＵ５にて算出された放射線量を被ばく量集中管理システムに送信する通信手段８、ＣＰＵ５から出力されるデジタル値をアナログ値に変換することにより、比較器回路４に入力される閾値電圧を生成するＤＡコンバータ９が設けられている。なお、ＤＡコンバータ９は、ＣＰＵ５のデジタル出力ポートに接続することができる。また、ＣＰＵ５は、例えば、ＲＣ２３２ＣやＩＲＤＡなどの通信手段によって外部に設置されたパーソナルコンピュータ１０と通信できるように構成されている。
【００２２】
そして、逆バイアス印加手段１にて半導体検出部２に逆バイアスが印加されると、電子はｎ側からｐ側に移動し、半導体検出部２に含まれるダイオード構造の空乏層はさらに広がる。そして、放射線業務従事者が被ばくした放射線が半導体検出部２の空乏層に入射すると、空乏層内で共有結合している電子が弾き飛ばされ、電子と正孔のペア（電子正孔対）が生成される。
【００２３】
そして、電子と正孔のペアが空乏層内で生成されると、逆バイアスされている電界に向かって電子は＋方向に移動するとともに、正孔は−方向に移動し、半導体検出部２に入射した放射線の線量に対応した電流が流れる。そして、半導体検出部２にて検出された信号は、アンプ回路３の前段に配置されたコンデンサにて直流成分が除去された後、アンプ回路３に入力される。そして、半導体検出部２にて検出された信号はアンプ回路３にて増幅された後、比較器回路４にて閾値電圧と比較され、閾値電圧以上の信号がパルス信号としてＣＰＵ５に入力される。
【００２４】
ここで、パーソナルコンピュータ１０は、比較器回路４に入力される閾値電圧を生成するためのデジタル値をＣＰＵ５に入力することができる。そして、ＣＰＵ５は、パーソナルコンピュータ１０から入力されたデジタル値を保持し、そのデジタル値をＤＡコンバータ９に出力する。そして、ＤＡコンバータ９は、ＣＰＵ５から出力されたデジタル値をアナログ値に変換することにより閾値電圧を生成し、比較器回路４に出力することができる。
【００２５】
そして、ＣＰＵ５は、比較器回路４からパルス信号が入力されると、そのパルス信号をカウントすることにより、放射線業務従事者の被ばく放射線量を算出する。そして、ＣＰＵ５は、被ばく放射線量を算出すると、放射線業務従事者の現在の被ばく放射線量を液晶ディスプレイ６に表示することができる。また、ＣＰＵ５は、放射線業務従事者の現在の被ばく放射線量が規定値を超えた場合、ブザー７を鳴らすことにより、その作業空間からの離脱を放射線業務従事者に促すことができる。さらに、ＣＰＵ５は、無線通信手段８を介して被ばく放射線量を被ばく量集中管理システムに送信することができる。そして、被ばく量集中管理システムでは、放射線業務従事者の被ばく放射線量の推移や累積値を集中管理することができる。
【００２６】
これにより、比較器回路４に入力される閾値電圧を設定するためのデジタル値をパーソナルコンピュータ１０からＣＰＵ５に入力することができる。このため、閾値電圧を設定するために、半導体検出部２やアンプ回路３などの特性のバラツキを考慮しながら可変抵抗を調整する必要がなくなるとともに、ＣＰＵ５の負荷を低減することが可能となり、コストアップを抑制しつつ、閾値電圧の調整にかかる労力を軽減することが可能となる。
【００２７】
図２は、本発明の第２実施形態に係る放射線検出器の閾値の設定方法を示すフローチャートである。
図２において、ＣＰＵ５は、比較器回路４に入力される閾値電圧が最小値から最大値までスイープされるように、ＤＡコンバータ９に出力するデジタル値を変化させながら（ステップＳ１、Ｓ４、Ｓ５）、ＤＡコンバータ９にて生成された閾値電圧を比較器回路４に入力させる（ステップＳ２）。そして、ＣＰＵ５は、比較器回路４に入力される閾値電圧がスイープされるごとに、比較器回路４から出力されるパルス信号のカウント値またはパルス信号の有無の情報をＣＰＵ５の内部メモリまたは外部メモリに記憶する（ステップＳ３）。
【００２８】
そして、ＣＰＵ５は、比較器回路４に入力される閾値電圧を最小値から最大値までスイープさせると、スイープごとに得られた比較器回路４からのパルス信号のカウント値またはパルス信号の有無の情報および閾値電圧を生成するためのデジタル値をパーソナルコンピュータ１０に送信する（ステップＳ６）。
そして、パーソナルコンピュータ１０は、スイープごとに得られたパルス信号のカウント値またはパルス信号の有無の情報および閾値電圧を生成するためのデジタル値をＣＰＵ５から受け取ると、それらのデータに基づいて最適な閾値電圧を計算し（ステップＳ７）、その閾値電圧のデータをＣＰＵ５に出力する（ステップＳ８）。そして、ＣＰＵ５は、最適な閾値電圧のデータをパーソナルコンピュータ１０から受け取ると、その閾値電圧のデータを放射線検出器内のメモリに保持させる（ステップＳ９）。
【００２９】
これにより、比較器回路４に入力される閾値電圧を設定するためのデジタル値の最適化処理をパーソナルコンピュータ１０にて行わせることができる。このため、比較器回路４に入力される閾値電圧を設定するためのデジタル値の最適化処理を放射線検出器内部で行う必要がなくなるともに、閾値電圧を最適化するために、半導体検出部２やアンプ回路３などの特性のバラツキを考慮しながら可変抵抗を調整する必要がなくなる。この結果、ＣＰＵ５の負荷を低減することが可能となり、コストアップを抑制することが可能となるとともに、閾値電圧の最適化にかかる労力を軽減することが可能となる。
【００３０】
図３は、本発明の第３実施形態に係る放射線検出器の概略構成を示すブロック図である。なお、図３では、図１の構成と同一部分には同一の符号を付し、詳細な説明を省略する。
図３において、図１の比較器回路４およびＤＡコンバータ９の代わりに、比較器回路３１、３２およびＤＡコンバータ３３が設けられるとともに、分圧抵抗Ｒ１〜Ｒ４が設けられている。
【００３１】
ここで、分圧抵抗Ｒ１、Ｒ２は直列接続され、分圧抵抗Ｒ１の一端はＤＡコンバータ３３の出力に接続されるとともに、分圧抵抗Ｒ２の一端は接地されている。また、分圧抵抗Ｒ１、Ｒ２の接続点は比較器回路３１の入力に接続されている。また、分圧抵抗Ｒ３、Ｒ４は直列接続され、分圧抵抗Ｒ３の一端はＤＡコンバータ３３の出力に接続されるとともに、分圧抵抗Ｒ４の一端は接地されている。また、分圧抵抗Ｒ３、Ｒ４の接続点は比較器回路３２の入力に接続されている。また、アンプ回路３の出力は比較器回路３１、３２に入力されるとともに、比較器回路３１、３２の出力はＣＰＵ５に入力されている。ここで、分圧抵抗Ｒ１〜Ｒ４の値は、分圧抵抗Ｒ１、Ｒ２の接続点の電位と、分圧抵抗Ｒ３、Ｒ４の接続点の電位とが互いに異なるように設定することができる。
【００３２】
そして、ＤＡコンバータ９から出力された閾値電圧は分圧抵抗Ｒ１〜Ｒ４にて分圧され、互いに異なる閾値電圧が比較器回路３１、３２にそれぞれ入力される。そして、比較器回路３１、３２は、アンプ回路３にて増幅された信号を閾値電圧と比較し、閾値電圧以上の信号をパルス信号としてＣＰＵ５に入力する。
これにより、ＤＡコンバータ３３を１個だけ設けることで、比較器回路３１、３２に入力される閾値電圧を設定するためのデジタル値の最適化処理をパーソナルコンピュータ１０にて行わせることを可能としつつ、複数の閾値電圧を生成することができる。このため、比較器回路３１、３２に入力される複数の閾値電圧を設定するための最適化処理を放射線検出器内部で行う必要がなくなるともに、複数の閾値電圧を最適化するために、半導体検出部２やアンプ回路３などの特性のバラツキを考慮しながら複数の可変抵抗を調整する必要がなくなる。この結果、ＣＰＵ５の負荷を低減することが可能となり、コストアップを抑制することが可能となるとともに、閾値電圧の最適化にかかる労力を軽減しつつ、高いエネルギレベルから低いエネルギレベルまでの広い領域で複数のエネルギ特性を得ることが可能となる。
【００３３】
図４は、本発明の第４実施形態に係る放射線検出器の概略構成を示すブロック図である。なお、図４では、図１の構成と同一部分には同一の符号を付し、詳細な説明を省略する。
図４において、図１の比較器回路４およびＤＡコンバータ９の代わりに、比較器回路４１、４２およびＤＡコンバータ４３、４４が設けられるとともに、分圧抵抗Ｒ１〜Ｒ４が設けられている。
【００３４】
ここで、分圧抵抗Ｒ１、Ｒ２は直列接続され、分圧抵抗Ｒ１の一端はＤＡコンバータ４３の出力に接続されるとともに、分圧抵抗Ｒ２の一端はＤＡコンバータ４４の出力に接続されている。また、分圧抵抗Ｒ１、Ｒ２の接続点は比較器回路４１の入力に接続されている。また、分圧抵抗Ｒ３、Ｒ４は直列接続され、分圧抵抗Ｒ３の一端はＤＡコンバータ４３の出力に接続されるとともに、分圧抵抗Ｒ４の一端はＤＡコンバータ４４の出力に接続されている。また、分圧抵抗Ｒ３、Ｒ４の接続点は比較器回路４２の入力に接続されている。
【００３５】
そして、ＤＡコンバータ９から出力された閾値電圧は分圧抵抗Ｒ１〜Ｒ４にて分圧され、互いに異なる閾値電圧が比較器回路４１、４２にそれぞれ入力される。そして、比較器回路４１、４２は、アンプ回路３にて増幅された信号を閾値電圧と比較し、閾値電圧以上の信号をパルス信号としてＣＰＵ５に入力する。
これにより、ＤＡコンバータを２個だけ設けることで、比較器回路４１、４２に入力される閾値を設定するためのデジタル値の最適化処理をパーソナルコンピュータ１０にて行わせることを可能としつつ、複数の閾値を生成することが可能となるとともに、エネルギレベルの分解能を２倍に向上させることができる。このため、ＣＰＵ５の負荷を低減することが可能となり、コストアップを抑制することが可能となるとともに、閾値電圧の最適化にかかる労力を軽減しつつ、高いエネルギレベルから低いエネルギレベルまでの広い領域で複数のエネルギ特性の精度を向上させることができる。
【００３６】
なお、上述した実施形態では、閾値電圧を生成するためにＤＡコンバータを用いる方法について説明したが、ＤＡコンバータに代えてデジタルポテンシャルを用いるようにしてもよい。
これにより、デジタルポテンシャルを用いることで、ＤＡコンバータを用いた場合に比べて、ノイズ成分を低減することができる。このため、比較器回路４に入力される閾値を安定させることができ、エネルギ特性の精度を向上させることができる。
【図面の簡単な説明】
【００３７】
【図１】本発明の第１実施形態に係る放射線検出器の概略構成を示すブロック図である。
【図２】本発明の第２実施形態に係る放射線検出器の閾値の設定方法を示すフローチャートである。
【図３】本発明の第３実施形態に係る放射線検出器の概略構成を示すブロック図である。
【図４】本発明の第４実施形態に係る放射線検出器の概略構成を示すブロック図である。
【図５】放射線線量計の実装状態を示す図である。
【図６】従来の放射線線量計の外観構成を示す斜視図である。
【図７】従来の放射線検出器の概略構成を示すブロック図である。
【図８】従来の閾値電圧回路の概略構成を示すブロック図である。
【符号の説明】
【００３８】
１  逆バイアス印加手段
２  半導体検出部
３  アンプ回路
４、３１、３２、４１、４２  比較器回路
５  ＣＰＵ
６  液晶ディスプレイ
７  ブザー
８  無線通信手段
９、３３、４３、４４  ＤＡコンバータ
１０  パーソナルコンピュータ
Ｒ１〜Ｒ４  分圧抵抗
【図１】
0004793044.tif 000002
【図２】
0004793044.tif 000003
【図３】
0004793044.tif 000004
【図４】
0004793044.tif 000005
【図５】
0004793044.tif 000006
【図６】
0004793044.tif 000007
【図７】
0004793044.tif 000008
【図８】
0004793044.tif 000009